(57)【特許請求の範囲】
【請求項１】
水を溜める外槽と、該外槽内に回転可能に設けた洗濯兼脱水槽であるドラムと、該ドラムを回転駆動するモータと、外郭を構成する筐体と、前記モータを制御する制御装置と、前記外槽の振動を検出するための振動検出手段と、前記外槽を防振支持する複数のサスペンションと、を備えた洗濯機において、
前記サスペンションは、前記ドラムの回転軸に対して減衰力が左右で異なって配され、
脱水工程で、前記ドラムが目標回転数に向かって回転する際に、前記振動検出手段で検出した振動値が、予め決めた閾値以上ならば、前記回転の方向を変えるものであって、
脱水工程で、最初に実行する前記回転の方向は、前記ドラムの回転軸に対して前記サスペンションの減衰力の小さい方向とすることを特徴とするドラム式洗濯機。
【請求項２】
請求項１において、
前記外槽に給水するための給水ホースを備えており、給水ホースが前記外槽の外周面あるいは背面に略垂直に接続されることを特徴とするドラム式洗濯機。
【請求項３】
請求項１において、
前記外槽の下部に突出した水受け部と、前記水受け部と前記ドラムとの間に壁部を備えており、該壁部の略中央で前記ドラムの外周面と前記水受け部の内側底面とが対面することを特徴とするドラム式洗濯機。
【発明の詳細な説明】
【技術分野】
【０００１】
本発明は、ドラム式洗濯機に関するものである。
【背景技術】
【０００２】
洗濯機は、筐体内に水を溜める外槽が防振支持され、その外槽内には洗濯兼脱水槽であるドラムがモータを介して回転自在に支持された機械である。脱水工程時には、ドラムを高速回転させることにより、そのドラム内に収容された洗濯物の脱水が行われる。このとき、ドラム内の洗濯物の片寄り（アンバランス）が発生すると、遠心力の不釣合いにより加振力が生じる。この加振力は、ドラムから外槽、さらには外槽から防振支持構造を介して筐体へと伝達し、振動や騒音をもたらす場合がある。そこで、この種のドラム式洗濯機は、アンバランスが過大と判断した場合に、一旦ドラムの回転を停止し、アンバランスを修正して、再度脱水を行うことで、振動や騒音が発生するのを防いでいる。
【０００３】
従来技術として特許文献１には、「ドラム、水槽、モータ等からなる振動系の水槽ユニットの下側を、２本の支持ダンパー、及び２本の支持ダンパーよりも配設角度が倒れる方向に設けた防振ダンパーにて揺動自在に弾性支持した洗濯機筺体」を備え、「所定回数の脱水起動のやり直し動作を行い、脱水起動のやり直し動作がこの所定回数を超えた時に、回転ドラムを逆回転方向に回転させて、脱水起動のやり直しを行う構成としたことにより、特に少量衣類を脱水した時に、アンバランス異常によって脱水起動できなくなり、工程を途中で中止するということはなく、最後まで工程進行して終了することができる」と記載されている。
【０００４】
また特許文献１には、「少量衣類で左回転の場合には、回転ドラムにより右上に一気に衣類が持ち上がり易いので、水槽ユニットが、正面から見て左下から右上の長手楕円形態に振動する傾向にあり、防振ダンパーが利きにくい。これに対して、少量衣類で右回転にすると、回転ドラムにより左上に一気に持ち上がり易く、水槽ユニットが、正面から見て右下から左上の長手楕円形態に振動する傾向に変わるので、防振ダンパーの減衰が利きやすくなり、起動しやすくなる」と記載されている。
【先行技術文献】
【特許文献】
【０００５】
【特許文献１】特開２０１２−１７０６８４号公報
【発明の概要】
【発明が解決しようとする課題】
【０００６】
しかしながら、上記特許文献１で開示された技術では、特に衣類が多い場合において、回転ドラムを標準の左回転とは逆方向に回転させても、衣類が回転ドラムにより左上に一気に持ち上がり難く、水槽ユニットの振動が右下から左上の長手楕円形態にならず、防振ダンパーの減衰が利きにくいことから、脱水のやり直し回数が低減できないという課題を有していた。
【０００７】
また上記特許文献１は、脱水起動のやり直し動作が所定回数を超えて、ドラムを逆方向に回転させるとき、定常回転数よりも低い回転数で一旦ドラムを停止させ、再度標準脱水回転方向に戻しているが、この方法では一度解消したアンバランスが再度発生する場合がある。したがって、小さいアンバランスとなる機会を逃す場合があり、特に衣類同士が絡みやすくアンバランスになり易い場合は、脱水のやり直し回数が低減できないという課題も有していた。
【０００８】
したがって上記特許文献１は、布量が多い場合や布量同士が絡みやすい場合など衣類状態によっては、脱水のやり直し回数が低減できず、脱水のやり直しでドラムが一方向に回転する時間が長くなることで、衣類もドラム回転方向に捻じれてアンバランスとなり易く、最終的には脱水時間の延長をもたらす場合がある。
【０００９】
加えて上記特許文献１は、少量衣類を回転ドラムにより左上に一気に持ち上げて、支持ダンパーの他に備えた防振ダンパーで制振しているが、この方法では大きなアンバランスのままドラム回転上昇させており、さらに防振ダンパーで水槽ユニットと筐体との振動伝達が大きくなるため、筐体が振動し易いという課題も有していた。
【００１０】
本発明の目的は、前記従来の課題を解決するもので、脱水工程において筐体の振動を抑制すると共に、衣類状態によらず脱水のやり直し回数が低減できるドラム式洗濯機を提供することにある。
【課題を解決するための手段】
【００１１】
上記課題を解決するために、水を溜める外槽と、該外槽内に回転可能に設けた洗濯兼脱水槽であるドラムと、該ドラムを回転駆動するモータと、外郭を構成する筐体と、前記モータを制御する制御装置と、前記外槽の振動を検出するための振動検出手段と、前記外槽を防振支持する複数のサスペンションと、を備えた洗濯機において、前記サスペンションは、前記ドラムの回転軸に対して減衰力が左右で異なって配され、脱水工程で、前記ドラムが目標回転数に向かって回転する際に、前記振動検出手段で検出した振動値が、予め決めた閾値以上ならば、前記回転の方向を変えるものであって、脱水工程で、最初に実行する前記回転の方向は、前記ドラムの回転軸に対して前記サスペンションの減衰力の小さい方向とすることを特徴とするドラム式洗濯機。
【発明の効果】
【００１２】
本発明によれば、脱水のやり直しで脱水回転方向を変え、振動が小さければ回転方向によらずそのまま脱水を完了させるため、衣類が一方向に捻じれてアンバランスとなるのを抑制すると共に、小さなアンバランスとなる機会を逃すことなく脱水を行うことから、外槽の振動低減のための減衰を大きくする必要がなく、衣類が多い場合や絡みやすい場合においても脱水のやり直し回数低減と筐体の振動低減が両立できる。
【図面の簡単な説明】
【００１３】
【図１】本実施の形態例に係るドラム式洗濯機の内部構造を示す右側面図である。（実施例１）
【図２】本実施の形態例に係るドラム式洗濯機の内部構造を示す正面図である。（実施例１）
【図３】本実施の形態例に係るドラム式洗濯機のブロック回路図である。（実施例１）
【図４】本実施の形態例に係るドラム式洗濯機の脱水工程の制御フローチャートである。（実施例１）
【図５】本実施の形態例に係るドラム式洗濯機の脱水工程におけるドラム回転パターンの一例である。（実施例１）
【図６】本実施の形態例に係るドラム式洗濯機の内部構造を示す正面図である。（実施例２）
【図７】本実施の形態例に係るドラム式洗濯機の内部構造を示す正面図である。（実施例３）
【発明を実施するための形態】
【００１４】
以下、本発明の実施の形態例について、適宜図を参照しながら詳細に説明する。
【００１５】
＜実施例１＞
図１は本実施の形態例におけるドラム式洗濯機の内部構造を示す右側面図、図２はドラム式洗濯機の内部構造を示す正面図である。図１に示すように、ドラム式洗濯機は、外郭を構成する筐体１の略中央に、洗濯物を出し入れするための投入口１ａが設けられており、この投入口１ａにはドア２を開閉自在に取り付けてある。筐体１の上部にある操作パネル３は、運転を逐次制御するための制御装置４と電気的に接続されており、運転コースの設定や運転状態の表示を行う。
【００１６】
筐体１の内部には、水を溜める外槽２３が右側サスペンション２４ａと左側サスペンション２４ｂ（図２）と補助ばね２５によって防振支持されており、洗濯物を収納するためのドラム２１を内包する。右側サスペンション２４ａと左側サスペンション２４ｂの最大減衰力は同じでも良いが、外槽２３から筐体１への振動伝達を低減するために、後述するドラム２１の標準の回転方向に合せて右側サスペンション２４ａを若干小さくする方が望ましい。
【００１７】
衣類を収納するためのドラム２１は、開口部２１ａと背面とを有する略円筒形に形成され、外槽２３に内包されている。ドラム２１の背面にあるシャフト２２ａは、外槽２３の背面に取り付けたモータ２２が連結され、このモータ２２によりドラム２１は標準の回転方向である左回転（ドラム２１の正面から見て反時計回り）と、標準とは逆の回転方向である右回転（ドラム２１の正面から見て時計回り）の両方向に回転駆動される。
【００１８】
ドラム２１内周壁には、洗濯物を持ち上げるためのリフタ２１ｂと、脱水のための貫通孔２１ｃが複数設けられている。また、ドラム２１の前端には、円筒状の流体バランサ２１ｄが設けられている。なお、ドラム２１は回転軸が水平、または前側が後側よりも高くなるように傾斜されて設けられている。
【００１９】
外槽２３は、前面と背面を有する略円筒に形成され、外槽２３の振動を検出するための振動検出手段２７を備えている。外槽２３の下部は、外槽２３の外周部が外側に突出した水受け部２３ｂが設けられており、衣類から脱水した水を集められるようになっている。水受け部２３ｂとドラム２１との間には、外槽２３の内周壁が延伸した壁部２３ｃが、外槽２３の正面から見て右側にある排水口１３ａの上側を覆うように配されている。
【００２０】
外槽２３の下側には、経路に排水弁１３ｂを有する排水ホース１３が排水口１３ａに接続されている。また、外槽２３の正面から見て左側には、給水弁１０ｂと洗剤容器１２を経路に有する給水ホース１０が接続されており、給水弁１０ｂを開くことで、図２の矢印で示すように、給水口１０ａ（図２）から外槽２３内に水の供給が可能となっている。なお、外槽２３内の水量は、水位検出手段１４によって検出可能となっている。
【００２１】
外槽２３の前面にある開口部２３ａは、環状のパッキンであるベローズ２６で筺体１の投入口１ａと接続されており、ドア２を閉めることで水封される。また、筐体１の投入口１ａ、外槽２３の開口部２３ａ、ドラム２１の開口部２１ａは連通しており、ドア２を開くことでドラム２１内への洗濯物の出し入れが可能となっている。
【００２２】
ここで、図２の矢印は、給水ホース１０から給水される水の流れと、排水口１３ａに向かう水の流れを示す。図２より、矢印の方向は、ドラム２１が標準回転方向（左回転）に回転した時のドラム２１外周面の速度成分に対して略平行となっている。すなわち、ドラム２１が標準回転方向（左回転）に高速回転した場合は、ドラム２１の外周面と外槽２３の内周面との隙間を流れる水と空気も、ドラム２１と同じ回転方向に流れるため、給水口１０ａから給水される水の流れと、排水口１３ａに向かう水の流れに対して、抵抗となりにくい。なお、給水口１０ａと排水口１３ａの位置が左右反対の場合、ドラム２１の標準回転方向は右回転が望ましく、以下で説明する制御も右回転と左回転とが逆になる。
【００２３】
ここで図３は、本発明の実施形態例におけるドラム式洗濯機のブロック図である。図３より、入力設定手段３０、水位検出手段１４、温度検出手段３１、布量検出手段３２、回転数検出手段３３、アンバランス検出手段３４、振動検出手段２７の信号が、電気的に接続された制御装置４に入力される。そして、演算処理に基づき、操作パネル３、モータ２２、給水弁１０ｂ、排水弁１３ｂを制御する。布量検出手段３２とアンバランス検出手段３４は、モータ２２の回転数変動やトルク電流を予め設定した閾値と比較することで、布量とアンバランス量を推定するものである。閾値は、上記検出手段ごとに複数記録されている。なお、以下ではアンバランス検出手段３４で検出したアンバランス量と、振動検出手段２７で検出した振動量をまとめて振動値とする。
【００２４】
上記構成において、その動作を説明する。ドア２を開いてドラム２１内に洗濯物を投入し、洗剤容器１２内に所定量の洗剤を投入した後、運転を開始させると、まず、洗い工程を実行する。洗い工程において、給水弁１０ｂが開き給水された水は、洗剤容器１２および給水ホース１０を介して、洗剤と共に外槽２３内に入る。この動作を所定時間実行した後、ドラム２１が右回転、停止、左回転、停止を繰り返す攪拌動作を所定時間実行する。このとき、ドラム２１内に収容された洗濯物は、ドラム２１内周壁に設けられたリフタ２１ｂによって回転方向に持ち上げられ、持ち上げられた高さ位置から落下する攪拌動作が繰り返されるため、洗濯物にはたたき洗いの作用が働いて洗われる。
【００２５】
この動作を所定時間行った後、洗い工程を終了し、脱水工程を実行する。ここで、脱水工程のフローチャートを図４に示す。この脱水工程においては、脱水工程開始（ステップＳ１０１）後、まず排水弁１３ｂが開き、外槽２３内の水が排水ホース１３を介して機外に排水される（ステップＳ１０２）。そして、衣類同士の絡みをほぐすために、ドラム２１が右回転、停止、左回転、停止を繰り返す攪拌動作を所定時間実行するほぐし動作を行う（ステップＳ１０３）。このほぐし動作は、右回転と左回転を交互に繰り返しても良いし、右回転あるいは左回転のどちらか一方を連続して回転させても良いし、どちらか一方向にのみ回転させても良い。望ましくは、次のステップＳ１０５の回転方向と逆方向に回転した状態でほぐし動作を終了し、ステップＳ１０５の回転方向と逆方向に衣類を捻っておくことで、ステップＳ１０５で衣類を均一に張り付けながら回転を上昇させるときに、衣類の捻れが解消されながら広がりやすくアンバランスになりにくい効果が得られる。なお、洗い工程で衣類同士の絡みも少ない場合（特に少量の衣類）は、ステップＳ１０３のほぐし動作自体がなくても良い。
【００２６】
ステップＳ１０３のほぐし動作が完了すると、一度ドラム２１の回転を停止（ステップＳ１０４）し、ドラム２１を標準回転方向の左回転で回転上昇させる（ステップＳ１０５）。ドラム２１の回転上昇方法は、単純増加で上昇させてもよく、途中で減速あるいは一定回転を含むような断続的な上昇でもよい。このとき、外槽２３の振動が過大となるのを防ぐために、アンバランス検出手段３４あるいは振動検出手段２７で検出した振動値と、予め設定した閾値とを比較する（ステップＳ１０６）。
【００２７】
ステップＳ１０６において、前記振動値が閾値よりも小さい場合、水抜き回転数（例えば１００ｒ／ｍｉｎ）までドラム２１の回転を上昇（ステップＳ１０７）させ、水抜き回転数でＴ１秒間一定回転させる（ステップＳ１０８）。この水抜き回転数における一定回転（ステップＳ１０８）は、衣類からの脱水量が多い２００〜４００ｒ／ｍｉｎよりも低い回転数で、時間を掛けて徐々に衣類から水を抜くための動作である。これによれば、衣類からの脱水量が多い回転数域よりも前に衣類から水を抜くことが出来るため、水受け部２３ｂに流入する水量が急増するのを抑制し、水受け部２３ｂで一時的に集められた水が壁部２３ｃを超えてドラム２１側に溢れるのを防いでいる。なお、本実施の形態例ではステップＳ１０８のドラム２１の回転を一定回転としたが、ステップＳ１０５のドラム２１の回転上昇よりも低い加速率で加速、または加速と減速をＴ１秒間繰り返しても、水が抜ける時間を確保出来るため、一定回転と同様の効果が得られる。また、排水ホース１３の排水流量が十分に確保されている場合は、ステップＳ１０８は必ずしも行う必要は無い。
【００２８】
ステップＳ１０８でＴ１秒間経過後、ステップＳ１０５及びステップＳ１０６と同様に、振動値と閾値を比較（ステップＳ１１０）しながら、目標回転数（例えば、９００ｒ／ｍｉｎ）まで回転数を上昇させる（ステップＳ１０９及びステップＳ１１１）。目標回転数に到達後、所定時間経過するまで一定回転させる（ステップＳ１１２及びステップＳ１１３）ことで、脱水を行う。そして、ドラム２１の回転を停止させ（ステップＳ１１４）、脱水工程を終了する（ステップＳ２２８）。
【００２９】
一方、ステップＳ１０６またはステップＳ１１０において、振動値が閾値以上の場合、外槽２３の振動が過大と判定して、ドラム２１の回転を停止する（ステップＳ１１６）。このとき、遠心力でドラム２１の内壁に片寄って張り付いた衣類は、重力で剥がれ落ちる。
【００３０】
ステップＳ１１７では、布量検出手段３２で検出した布量と、予め設定した閾値とを比較する。布量が閾値よりも小さい場合（例えば５ｋｇ以下）、衣類から脱水される水の量が少ないと判定し、ドラム２１を標準回転方向とは逆の右回転に回転上昇させる。（ステップＳ１１８）。一方、布量が閾値以上の場合、衣類から脱水される水の量が多いと判定し、ほぐし動作を実施（ステップ１１５）した後、再びステップＳ１０４からやり直す。これによれば、脱水される水の量が少ない場合のみドラム２１を右回転で回転させるため、前述したように、排水口１３ａが外槽２３の右側に配されていても、水受け部２３ｂから水が溢れるのを防止することが出来る。なお、水受け２３ｂの体積や排水口１３ａの径が大きく排水流量を確保出来る場合は、ステップＳ１１７を行わず、布量に関係なくドラム２１を右回転させてもよい。
【００３１】
ステップＳ１１８では、ステップＳ１０５と同様に、ドラム２１の回転数を単純増加で上昇させてもよく、途中で減速あるいは一定回転を含むように断続的に上昇させてもよい。このときステップＳ１０６と同様に、外槽２３の振動が過大となるのを防ぐために、振動検出手段２７で検出した振動値と、予め設定した閾値とを比較（ステップＳ１１９）しながら、水抜き回転数（例えば１００ｒ／ｍｉｎ）まで上昇させる（ステップＳ１２０）。
【００３２】
水抜き回転数に到達後、ステップＳ１０８のＴ１秒よりも長いＴ２秒の間、ステップＳ１０８と同様の一定回転を実施する（ステップＳ１２１）。これによれば、予め時間を掛けて衣類から徐々に脱水するため、衣類からの脱水量が多い回転数域で、水受け部２３ｂに一度に流入する水の量がステップＳ１０８よりも少なくなる。したがって、標準回転方向とは逆の右回転とすることで、ドラム２１の回転で生じる水と空気の流れが排水口１３ａに向かう水の流れと逆行する条件となったとしても、滞りなく排水口１３ａから排水できる。
【００３３】
ステップＳ１２１でＴ２秒間経過後、ステップＳ１０５及びステップＳ１０６と同様に、振動値と閾値を比較（ステップＳ１２３）しながら、目標回転数（例えば、ステップＳ１１１よりも低い７００ｒ／ｍｉｎ）まで回転数を上昇させる（ステップＳ１２２及びステップＳ１２４）。目標回転数に到達後、所定時間経過するまで一定回転させる（ステップＳ１２５及びステップＳ１２６）ことで、脱水を行う。そして、ドラム２１の回転を停止させ（ステップＳ１２７）、脱水工程を終了する（ステップＳ２２８）。なお、ステップＳ１２４の目標回転数は、ステップＳ１１１の目標回転数よりも低く、ステップＳ１２６の所定時間は、ステップＳ１１３の所定時間より短い方が望ましい。これによれば、衣類からの脱水量は少なくなるが、ドラム２１を標準回転方向と逆の右回転で回転させても、ドラム２１の回転で生じる水と空気の流れの速度が遅く、また時間も短くなるため、給水ホース１０への水と空気の逆流を防止出来る。
【００３４】
一方、ステップＳ１１９またはステップＳ１２３において振動値が閾値以上となった場合、ステップＳ１１６と同様に、ドラム２１の回転を停止する（ステップＳ１０４）。そして、ステップＳ１１８で右回転に捻じれていた衣類状態を解消するために、今度は左回転で上昇させる（ステップＳ１０５）。ただし、アンバランスが解消できず、振動値が閾値よりも大きい状態が連続して何度も発生する場合、このままでは脱水できないと判定して、脱水工程を途中で終了させ、操作パネル３で報知しても良い。
【００３５】
ここで、ドラム２１の回転パターンの一例を図５に示す。排水後、標準回転方向の左回転と右回転が順に行われるほぐし動作を実施する。このほぐし動作中の回転数は、衣類に作用する重力と遠心力の釣り合い回転数よりも高く、外槽２３の第１共振回転数よりも低く設定している。次に、ドラム２１を標準回転方向の左回転で回転させるが、アンバランス検出手段３４あるいは振動検出手段２７で検出した振動値が、Ｐ１０１で閾値以上と判定し、ドラム２１の回転を停止する。そして、今度は右回転でドラム２１を回転させるが、Ｐ１０２でも振動値が閾値以上と判定し、ドラム２１の回転を停止する。同様に、Ｐ１０３でも振動値が閾値以上と判定し、Ｐ１０４で初めて振動値が閾値より小さいと判定する。このとき、標準回転方向とは逆の右回転であるが、振動値が閾値よりも小さいならば、７００ｒ／ｍｉｎで所定時間回転させ、そして脱水工程を終了する。なお、図５はあくまでも一例であるため、Ｐ１０４以外で振動値が閾値より小さくなり、そのまま脱水を完了する場合も有り得る。
【００３６】
以上の脱水工程を実施後、給水弁１０ｂが開き給水され、その水は洗剤容器１２および給水ホース１０を通り、外槽２３内に注水され、すすぎ工程が実施される。このすすぎ工程においては、前述した洗い工程と同様に、右回転、休止、左回転転、休止の動作を繰り返す攪拌動作を所定時間実行する。このとき、洗濯物がドラム２１の内周壁に設けられたリフタ２１ｂによって回転方向に持ち上げられ、持ち上げられた高さ位置から落下する攪拌動作が繰り返されるため、洗濯物に含まれる洗剤成分が希釈され、すすぎが行われる。その後、前述した脱水工程およびすすぎ工程を所定回数繰り返し、最終脱水工程に移行する。この最終脱水工程における脱水時間は、前述の脱水工程より長く設定してある。
【００３７】
以上のように本実施の形態例においては、発生したアンバランスで脱水のやり直しに至ったとしても、その度に脱水方向を変えるため、衣類が一方向に捻じれてアンバランスが発生し易い状態となるのを防止できる。加えて、振動値の大小に拘らずドラム２１を一旦停止させるほぐし動作と異なり、振動値が小さい場合は回転方向によらずそのまま脱水を完了させるため、小さなアンバランスとなる機会を逃すことがないことから、脱水のやり直し回数が低減できる。そして、小さなアンバランスになる確率が高ければ、外槽２３の振動も大きくなり難いため、右側サスペンション２４ａと左側サスペンション２４ｂの減衰を小さくすることが可能となり、外槽２３から筐体１へ伝達する振動も小さくなる。
【００３８】
したがって、衣類が多い場合や絡みやすい場合においても、衣類の捻じれによるアンバランスの発生を抑え、小さなアンバランスで脱水を行うことから、外槽２３の振動を抑制するための大きな減衰が不要となり、脱水のやり直し回数低減と筐体の振動低減が両立できる。
【００３９】
なお、本実施の形態例においてはドラム式洗濯機について述べたが、ドラム２１の回転軸が略水平であれば同様の衣類状態となるため、乾燥機能を有するドラム式洗濯機や、外槽２３が別の手段で弾性支持された場合においても同様の効果が得られる。また、ドラム２１の回転方向を左右交互に行っているが、絡みにくい少量の衣類ならば、ドラム２１を一方向に回転させても絡んでアンバランスになり難いため、回転方向を変えるまでの脱水のやり直し回数を２回以上としても、同様の効果が得られる。
【００４０】
＜実施例２＞
図６は、第２の実施の形態例におけるドラム式洗濯機の正面の内部構造を示す模式図である。図６には、ドラム２１の回転中心Ｏを通る線分ＯＯ´を一点鎖線で、ドラム２１が右回転で高速回転した場合にドラム２１と外槽２３との隙間を流れる水と空気の流れを実線の矢印で示す。なお、他の構成と運転制御は、実施例１と同じであり、同一符号を付して説明を省略する。
【００４１】
外槽２３には、給水ホース５０が給水口５０ａで接続されており、給水ホース５０の給水口５０ａ近傍は線分ＯＯ´と平行となるように配されている。給水口５０ａは、外槽２３の内周面に設けられ、線分ＯＯ´と略垂直に交わる開口部であり、給水ホース５０から供給される水が通る。すなわち、ドラム２１が右回転で高速回転した場合にドラム２１と外槽２３との隙間を流れる水と空気の流れは、給水口５０ａを横切るように流れる。
【００４２】
上記構成によれば、標準回転方向とは逆の右回転でドラム２１が高速回転する場合でも、水や空気が給水口５０ａを横切るように流れるため、水や空気が給水ホース５０に流れ込むのを防止出来る。すなわち、図４のステップＳ１２４の目標回転数をより高い値（例えば、左回転と同じ９００ｒ／ｍｉｎ）に設定可能となり、衣類からより多くの水を抜くことが出来る。
【００４３】
なお、給水ホース５０をドラム２１の後側から配する場合は、線分ＯＯ´に関係なく、給水口５０ａがドラム２１の背面の方を向くように、外槽２３の背面に給水ホース５０を接続する方法でもよい。これによれば、ドラム２１の回転方向に関係なく、ドラム２１と外槽２３との隙間を流れる水と空気が給水口５０ａを横切るように流れるため、同様の効果が得られる。
【００４４】
＜実施例３＞
図７は、第３の実施の形態例におけるドラム式洗濯機の正面の内部構造を示す模式図である。外槽２３下部の水受け部２３ｂは、排水口１３ａとドラム２１との間に第一壁部７０ａと第二壁部７０ｂが設けられている。第一壁部７０ａは排水口１３ａの上を覆う様に配され、第二壁部７０ｂは外槽２３の正面から見て排水口１３ａと左右反対の位置に配されている。第一壁部７０ａと第二壁部７０ｂは、外槽２３の内周面が水受け部２３ｂに延伸して形成されている。すなわち、水受け部２３ｂの内側底面は、第一壁部７０ａと第二壁部７０ｂの間で、ドラム２１の外周面と直接対面するように構成されている。なお、他の構成と運転制御は、実施例１と同じであり、同一符号を付して説明を省略する。
【００４５】
上記構成によれば、衣類量が多く多量の水が短時間に水受け部２３ｂに流入しても、水受け部２３ｂに流入した水は第一壁部７０ａまたは第二壁部７０ｂでせき止められるため、水受け部２３ｂから溢れてドラム２１側に溢れるのを防止出来る。したがって、図４のステップＳ１１７において、布量の閾値をより高く設定（例えば７ｋｇ）することが出来る。また、図４のステップＳ１２１において、水抜きの一定回転の時間Ｔ２を短縮することが出来る。
【００４６】
なお、本実施の形態例では、排水口１３ａは外槽２３の正面から見て右側に設けてあるが、標準の回転方向を右回転として、排水口１３ａを外槽２３の正面から見て左側に設けた場合も同様の効果が得られる。また、第一壁部７０ａと第二壁部７０ｂの間に排水口１３ａを設けても、同様の効果が得られる。
【符号の説明】
【００４７】
１      筐体                        ２２    モータ
４      制御装置                    ２３    外槽
２１    ドラム                      ２７    振動検出手段
【図１】
0006553448.tif 000002
【図２】
0006553448.tif 000003
【図３】
0006553448.tif 000004
【図４】
0006553448.tif 000005
【図５】
0006553448.tif 000006
【図６】
0006553448.tif 000007
【図７】
0006553448.tif 000008